(57)【要約】  本発明は、搭乗者の嗜好と安全に配慮して車両設備の設定値を決定することを目的とする。本発明に係る設定決定装置（１０１）は、車両設備制御装置（２１）が車両の設備を制御するための設定値を決定する設定値決定装置（１０１）であって、車両の搭乗者を特定する識別情報と、搭乗者が着座する座席を特定する座席情報とを含む搭乗者情報を取得する搭乗者情報取得部（１１）と、搭乗者情報から得られる座席を区別した搭乗者の組み合わせに基づき、設定値を第１設定値として決定する設定値決定部（１２）と、搭乗者情報以外の、車両の走行に影響を与える要因に関する情報である要因情報を取得する要因情報取得部（１３）と、要因情報に基づき第１設定値を第２設定値に補正する設定値補正部（１４）と、を備える。車両設備制御装置（２１）は第２設定値により車両の設備を制御する。
2018185933.tif 000002
【特許請求の範囲】
【請求項１】
車両設備制御装置が車両の設備を制御するための設定値を決定する設定値決定装置であって、
前記車両の搭乗者を特定する識別情報と、前記搭乗者が着座する座席を特定する座席情報とを含む搭乗者情報を取得する搭乗者情報取得部と、
前記搭乗者情報から得られる、座席を区別した前記搭乗者の組み合わせに基づき、前記設定値を第１設定値として決定する設定値決定部と、
前記搭乗者情報以外の、前記車両の走行に影響を与える要因に関する情報である要因情報を取得する要因情報取得部と、
前記要因情報に基づき前記第１設定値を第２設定値に補正する設定値補正部と、を備え、
前記車両設備制御装置は前記第２設定値により前記車両の設備を制御する、
設定値決定装置。
【請求項２】
前記設定値決定部は、前記搭乗者の組み合わせと前記設定値とが紐付けられた設定値情報に基づき、前記第１設定値を決定する、
請求項１に記載の設定値決定装置。
【請求項３】
前記搭乗者情報取得部が前記識別情報を取得できないか、または前記設定値情報に組み合わせが記載されていない搭乗者である不定搭乗者の属性情報を取得する属性情報取得部をさらに備え、
前記設定値決定部は、前記設定値情報に組み合わせが記載された搭乗者である登録搭乗者の属性情報を参照して、前記不定搭乗者を属性情報が類似する前記登録搭乗者に置換し、置換後の搭乗者の組み合わせに基づき前記第１設定値を決定する、
請求項２に記載の設定値決定装置。
【請求項４】
前記識別情報は、前記搭乗者の携帯する携帯端末の固有情報である、
請求項１に記載の設定値決定装置。
【請求項５】
前記識別情報は、前記車両の各座席に設置された受信装置が前記携帯端末から受信する前記固有情報であり、
前記座席情報は、前記固有情報を受信する前記受信装置が設置された座席の情報である、
請求項４に記載の設定値決定装置。
【請求項６】
前記設定値決定部は、前記設定値情報を格納する設定値格納部を備え、サーバに設けられる、
請求項１に記載の設定値決定装置。
【請求項７】
前記要因情報は前記車両が走行する地域の天候を示す天候情報である、
請求項１に記載の設定値決定装置。
【請求項８】
前記要因情報は、前記車両の走行経路に関する経路情報である、
請求項１に記載の設定値決定装置。
【請求項９】
前記要因情報は、前記車両の搭乗者の体調を示す体調情報である、
請求項１に記載の設定値決定装置。
【請求項１０】
前記車両設備は前記車両の座席であり、
前記車両設備制御装置は、前記第２設定値に基づき前記座席の前後方向の位置を制御する、
請求項１に記載の設定値決定装置。
【請求項１１】
前記車両設備は前記車両に搭載されたオーディオ機器であり、
前記車両設備制御装置は、前記第２設定値に基づき前記オーディオ機器の再生音量を制御する、
請求項１に記載の設定値決定装置。
【請求項１２】
前記車両設備は前記車両のヘッドライトであり、
前記車両設備制御装置は、前記第２設定値に基づき前記ヘッドライトの光軸方向を制御する、
請求項１に記載の設定値決定装置。
【請求項１３】
車両設備制御装置が車両の設備を制御するための設定値を決定する設定値決定方法であって、
前記車両の搭乗者を特定する識別情報と、前記搭乗者が着座する座席を特定する座席情報と、を含む搭乗者情報を取得し、
前記搭乗者情報から得られる座席を区別した前記搭乗者の組み合わせに基づき、前記設定値を第１設定値として決定し、
前記搭乗者情報以外の、前記車両の走行に影響を与える要因に関する情報である要因情報を取得し、
前記要因情報に基づき前記第１設定値を第２設定値に補正し、
前記車両設備制御装置は前記第２設定値により前記車両の設備を制御する、
設定値決定方法。
【発明の詳細な説明】
【技術分野】
【０００１】
本発明は、設定値決定装置および設定値決定方法に関する。
【背景技術】
【０００２】
車両には、例えば座席の前後の位置を調整する位置調整機構、またはオーディオ機器など、車両の走行と直接的な関係のない様々な設備（以下、「車両設備」と称する）がある。位置調整機構により調整される座席の位置、またはオーディオ機器の再生音量といった車両設備の設定値を、従来、搭乗者の嗜好によって設定する技術がある（例えば特許文献１）。
【先行技術文献】
【特許文献】
【０００３】
【特許文献１】特開２０１０−５５３０３号公報
【発明の概要】
【発明が解決しようとする課題】
【０００４】
特許文献１によれば、搭乗者の位置情報または個人情報から、車両設備の設定値を定めていた。この設定値は、搭乗者の嗜好に基づいて定められており、搭乗者の安全を確保する観点から定められてはいなかった。【０００５】
本発明は上述の問題点に鑑み、搭乗者の嗜好と安全に配慮して車両設備の設定値を決定することを目的とする。
【課題を解決するための手段】
【０００６】
本発明に係る設定値決定装置は、車両設備制御装置が車両の設備を制御するための設定値を決定する設定値決定装置である。本発明に係る設定値決定装置は、車両の搭乗者を特定する識別情報と、搭乗者が着座する座席を特定する座席情報とを含む搭乗者情報を取得する搭乗者情報取得部と、搭乗者情報から得られる、座席を区別した搭乗者の組み合わせに基づき、設定値を第１設定値として決定する設定値決定部と、搭乗者情報以外の、車両の走行に影響を与える要因に関する情報である要因情報を取得する要因情報取得部と、要因情報に基づき第１設定値を第２設定値に補正する設定値補正部と、を備える。車両設備制御装置は第２設定値により車両の設備を制御する。【０００７】
本発明に係る設定値決定方法は、車両設備制御装置が車両の設備を制御するための設定値を決定する設定値決定方法である。本発明に係る設定値決定方法は、車両の搭乗者を特定する識別情報と搭乗者が着座する座席を特定する座席情報とを含む搭乗者情報を取得し、搭乗者情報から得られる座席を区別した搭乗者の組み合わせに基づき、設定値を第１設定値として決定し、搭乗者情報以外の、車両の走行に影響を与える要因に関する情報である要因情報を取得し、要因情報に基づき第１設定値を第２設定値に補正する。そして、車両設備制御装置は第２設定値により車両の設備を制御する。
【発明の効果】
【０００８】
本発明に係る設定値決定装置は、車両設備制御装置が車両の設備を制御するための設定値を決定する設定値決定装置である。本発明に係る設定値決定装置は、車両の搭乗者を特定する識別情報と、搭乗者が着座する座席を特定する座席情報とを含む搭乗者情報を取得する搭乗者情報取得部と、搭乗者情報から得られる、座席を区別した搭乗者の組み合わせに基づき、設定値を第１設定値として決定する設定値決定部と、搭乗者情報以外の、車両の走行に影響を与える要因に関する情報である要因情報を取得する要因情報取得部と、要因情報に基づき第１設定値を第２設定値に補正する設定値補正部と、を備える。車両設備制御装置は第２設定値により車両の設備を制御する。従って、搭乗者の嗜好と安全に配慮して車両設備の設定値を決定することができる。【０００９】
本発明に係る設定値決定方法は、車両設備制御装置が車両の設備を制御するための設定値を決定する設定値決定方法である。本発明に係る設定値決定方法は、車両の搭乗者を特定する識別情報と搭乗者が着座する座席を特定する座席情報とを含む搭乗者情報を取得し、搭乗者情報から得られる座席を区別した搭乗者の組み合わせに基づき、設定値を第１設定値として決定し、搭乗者情報以外の、車両の走行に影響を与える要因に関する情報である要因情報を取得し、要因情報に基づき第１設定値を第２設定値に補正する。そして、車両設備制御装置は第２設定値により車両の設備を制御する。従って、搭乗者の嗜好と安全に配慮して車両設備の設定値を決定することができる。【００１０】
本発明の目的、特徴、態様、および利点は、以下の詳細な説明と添付図面とによって、より明白となる。
【図面の簡単な説明】
【００１１】
【図１】本発明の実施の形態１に係る設定値決定装置の構成を示すブロック図である。
【図２】本発明の実施の形態１に係る設定値決定装置の動作を示すフローチャートである。
【図３】本発明の実施の形態２に係る設定値決定装置の構成を示すブロック図である。
【図４】本発明の実施の形態２に係る設定値決定装置の動作を示すフローチャートである。
【図５】搭乗者の組み合わせを示す図である。
【図６】搭乗者の組み合わせを示す図である。
【図７】搭乗者の組み合わせを示す図である。
【図８】搭乗者の組み合わせと設定値との関係を示す図である。
【図９】搭乗者の組み合わせと設定値との関係を示す図である。
【図１０】要因情報と補正値の関係を示す図である。
【図１１】本発明の実施の形態３に係る設定値決定装置の構成を示すブロック図である。
【図１２】本発明の実施の形態３に係る設定値決定装置の動作を示すフローチャートである。
【図１３】不定搭乗者を含む搭乗者の組み合わせを示す図である。
【図１４】搭乗者の組み合わせと設定値との関係を示す図である。
【図１５】搭乗者の組み合わせと設定値との関係を示す図である。
【図１６】設定値決定装置のハードウェア構成を示す図である。
【図１７】設定値決定装置のハードウェア構成を示す図である。
【図１８】車載装置とサーバによる実施の形態２に係る設定値決定装置の構成例を示す図である。
【発明を実施するための形態】
【００１２】
＜Ａ．実施の形態１＞
＜Ａ−１．構成＞
図１は、実施の形態１に係る設定値決定装置１０１の構成を示すブロック図である。設定値決定装置１０１は、搭乗者情報取得部１１、設定値決定部１２、要因情報取得部１３、および設定値補正部１４を備え、車両設備制御装置２１と接続されている。
【００１３】
設定値決定装置１０１は、車両設備制御装置２１が車両設備を制御するための設定値を決定する。以下の説明において、「車両」とは、設定値決定装置１０１が決定した設定値により制御される設備を搭載した車両を示す。また、「車両に搭載された装置」とは、車両に固定された装置の他、搭乗者が適宜車両に持ち込んで使用する装置も示す。
【００１４】
搭乗者情報取得部１１は搭乗者情報を取得する。搭乗者情報は、車両の搭乗者を特定する識別情報と、搭乗者が着座する座席を特定する座席情報とを含む。すなわち、搭乗者情報により「誰がどの座席に座っているか」が特定される。
【００１５】
設定値決定部１２は、搭乗者情報取得部１１から搭乗者情報を取得し、搭乗者情報から得られる搭乗者の組み合わせに基づき、車両設備を制御するための設定値を決定する。この搭乗者の組み合わせは、異なる座席を区別した搭乗者の組み合わせである。設定値決定部１２が決定した設定値を第１設定値とする。
【００１６】
要因情報取得部１３は、要因情報を取得する。要因情報とは、搭乗者情報以外の、車両の走行に影響を与える要因に関する情報である。例えば、車両が走行する地域の現在の天候を示す天候情報、車両の走行経路に関する経路情報、または搭乗者の体調を示す体調情報などが、要因情報として挙げられる。
【００１７】
設定値補正部１４は、設定値決定部１２から第１設定値を取得し、要因情報取得部１３から要因情報を取得する。そして、設定値補正部１４は、要因情報に基づき第１設定値を補正する。設定値補正部１４で補正された設定値を第２設定値と呼ぶ。
【００１８】
車両設備制御装置２１は設定値補正部１４から第２設定値を取得し、第２設定値に基づき車両設備を制御する。なお、図１では車両設備の図示を省略している。例えば、車両設備を車両の座席とすると、車両設備制御装置２１は第２設定値に基づき座席の前後方向の位置を制御する。また、車両設備を車両に搭載されたオーディオ機器とすると、車両設備制御装置２１は第２設定値に基づきオーディオ機器の再生音量を制御する。また、車両設備を車両のヘッドライトとすると、車両設備制御装置２１は第２設定値に基づきヘッドライトの光軸方向を制御する。
【００１９】
＜Ａ−２．動作＞
図２は、設定値決定装置１０１の動作を示すフローチャートである。以下、図２に沿って設定値決定装置１０１の動作を説明する。まず、搭乗者情報取得部１１が搭乗者情報を取得する（ステップＳ１１）。搭乗者情報には、車両の搭乗者を特定する識別情報と、搭乗者が着座する座席を特定する座席情報とが含まれる。
【００２０】
次に、設定値決定部１２が搭乗者情報取得部１１から搭乗者情報を取得し、搭乗者情報から得られる座席を区別した搭乗者の組み合わせに基づき、第１設定値を決定する（ステップＳ１２）。
【００２１】
次に、要因情報取得部１３が要因情報を取得する（ステップＳ１３）。ここでは、設定値決定部１２が第１設定値を決定した後に要因情報取得部１３が要因情報を取得することについて説明している。しかし、要因情報取得部１３が要因情報を取得するタイミングは、設定値決定部１２が第１設定値を決定する前でも良いし、搭乗者情報取得部１１が搭乗者情報を取得する前でも良い。
【００２２】
次に、設定値補正部１４が設定値決定部１２から第１設定値を、要因情報取得部１３から要因情報をそれぞれ取得し、要因情報に基づき第１設定値を第２設定値に補正する（ステップＳ１４）。
【００２３】
実施の形態１に係る設定値決定装置１０１は、車両設備制御装置２１が車両設備を制御するための設定値を決定する。設定値決定装置１０１は、搭乗者情報取得部１１、要因情報取得部１３、設定値決定部１２、および設定値補正部１４を備える。搭乗者情報取得部１１は、搭乗者情報を取得する。搭乗者情報は、車両の搭乗者を特定する識別情報と、搭乗者が着座する座席を特定する座席情報とを含む。設定値決定部１２は、搭乗者情報から得られる、座席を区別した搭乗者の組み合わせに基づき、設定値を第１設定値として決定する。要因情報取得部１３は、要因情報を取得する。要因情報は、搭乗者情報以外の、車両の走行に影響を与える要因に関する情報である。設定値補正部１４は、要因情報に基づき第１設定値を第２設定値に補正する。車両設備制御装置２１は、第２設定値により車両設備を制御する。第１設定値は、座席を区別した搭乗者の組み合わせに基づき定められる。そのため、搭乗者の組み合わせに対する設定値を搭乗者の嗜好に沿って定めることができる。また、要因情報に基づき第１設定値を第２設定値に補正するため、例えば搭乗者の安全の観点から第２設定値に補正することができる。従って、第２設定値は、搭乗者の嗜好と安全の両方に配慮した値となる。
【００２４】
＜Ｂ．実施の形態２＞
＜Ｂ−１．構成＞
図３は、実施の形態２に係る設定値決定装置１０２の構成を示すブロック図である。設定値決定装置１０２は、実施の形態１に係る設定値決定装置１０１の構成と比較すると、設定値決定部１２に代えて設定値決定部１２Ａを備え、設定値補正部１４に代えて設定値補正部１４Ａを備えている点が異なる。設定値決定部１２Ａは設定値格納部１２１を備え、設定値補正部１４Ａは補正値格納部１４１を備えている。
【００２５】
設定値格納部１２１と補正値格納部１４１は、メモリ等の記憶媒体によって構成されている。設定値格納部１２１には、座席を区別した搭乗者の組み合わせと設定値とが紐付けられた設定値情報が格納されている。補正値格納部１４１には、要因情報と設定値の補正値とを紐付けた補正値情報が格納されている。
【００２６】
設定値決定装置１０２は、受信装置２３、カメラ２４、天候情報受信装置２５、ナビゲーション装置２６、瞳孔トラッキング装置２７、シート制御装置２１１、ヘッドライト制御装置２１２、およびオーディオ音量制御装置２１３と接続され、これらを利用可能に構成されている。
【００２７】
本実施の形態では、設定値決定装置１０２を車両４１に搭載された車載装置として説明する。受信装置２３、カメラ２４、天候情報受信装置２５、ナビゲーション装置２６、瞳孔トラッキング装置２７、シート制御装置２１１、ヘッドライト制御装置２１２、およびオーディオ音量制御装置２１３も車両４１に搭載されている。
【００２８】
受信装置２３は、搭乗者が携帯する携帯端末２２と通信し、携帯端末２２からその固有情報を受信する装置である。携帯端末２２の固有情報は、例えばＭＡＣ（Media Access Control）アドレスである。受信装置２３は、例えば近距離無線通信により携帯端末２２からＭＡＣアドレスを受信するＲＦＩＤ（Radio Frequency Identification）リーダーである。
【００２９】
ＲＦＩＤリーダーは、例えば車両４１の各座席に設置される。ＲＦＩＤリーダーの受信範囲を数十ｃｍとすると、各ＲＦＩＤリーダーは、主に自身が設置された座席に着座した搭乗者が携帯する携帯端末２２と通信を行うことができる。各ＲＦＩＤリーダーが受信した携帯端末２２のＭＡＣアドレスは、搭乗者情報として搭乗者情報取得部１１に送られる。
【００３０】
各ＲＦＩＤリーダーが受信した携帯端末２２のＭＡＣアドレスは、携帯端末２２を特定する情報である。そして、携帯端末２２と搭乗者が１対１で対応しているという前提の下で、携帯端末２２を特定する情報は搭乗者を特定する識別情報である。すなわち、搭乗者の携帯する携帯端末２２の固有情報が、搭乗者を特定する識別情報となる。
【００３１】
例えば、運転席に設置されたＲＦＩＤリーダーが携帯端末ＡのＭＡＣアドレスを受信した場合、携帯端末Ａの保有者が運転席に着座していることが明らかとなる。このように、どのＲＦＩＤリーダーがどのＭＡＣアドレスを受信したかを示す情報は、搭乗者が着座する座席を特定するものとなる。従って、各ＲＦＩＤリーダーが受信した携帯端末２２のＭＡＣアドレスは、搭乗者が着座する座席を特定する座席情報でもある。すなわち、受信装置２３が携帯端末２２から受信する携帯端末２２の固有情報が、搭乗者を特定する識別情報となる。そして、携帯端末２２の固有情報を受信した受信装置２３が設置された座席の情報が、搭乗者が着座する座席を特定する座席情報となる。
【００３２】
カメラ２４は、車両４１の車室内を撮影する。搭乗者情報取得部１１は、カメラ２４の撮影画像を画像解析することにより搭乗者情報を取得しても良い。この場合、例えば搭乗者情報取得部１１は搭乗者の顔画像を予め登録しておき、登録した顔画像とカメラ２４の撮影画像とを比較することにより、各座席に着座している搭乗者を特定する。
【００３３】
搭乗者情報取得部１１が搭乗者情報を取得する方法として、受信装置２３で携帯端末２２の固有情報を受信する方法と、カメラ２４の撮影画像を解析する方法とを説明した。搭乗者情報取得部１１は、このうち一つの方法を用いても良いし、両方の方法を用いても良い。両方の方法を用いる場合、搭乗者情報取得部１１は、一方の方法における測定精度を他方の方法によって補完しても良い。また、カメラ２４の撮影画像を解析する方法によれば、携帯端末２２を携帯していない搭乗者を特定することが可能である。
【００３４】
設定値決定部１２Ａは、搭乗者情報取得部１１から搭乗者情報を取得すると、設定値格納部１２１の設定値情報を参照し、搭乗者情報に記載された搭乗者の組み合わせに対応する設定値を第１設定値とする。
【００３５】
カメラ２４の撮影画像は、搭乗者情報取得部１１だけでなく、瞳孔トラッキング装置２７にも用いられる。瞳孔トラッキング装置２７は、天候情報受信装置２５およびナビゲーション装置２６と共に、要因情報取得部１３に要因情報を提供する装置である。
【００３６】
瞳孔トラッキング装置２７は、カメラ２４の撮影画像を解析して運転者の瞳孔の動きを計測する。なお、ここで瞳孔トラッキング装置２７はカメラ２４の撮影画像を用いて瞳孔の動きを計測しているが、赤外線カメラなど他のカメラの撮影画像を用いて瞳孔の動きを計測しても良い。瞳孔トラッキング装置２７の計測情報は要因情報取得部１３に送られる。要因情報取得部１３は、瞳孔トラッキング装置２７の計測情報から運転者の体調情報を取得する。運転者の体調情報は、例えば「瞳孔ブレ大」または「瞳孔ブレ小」といった情報である。要因情報取得部１３は、例えば所定時間内に瞳孔の向きが変化する回数が所定回数よりも多ければ「瞳孔ブレ大」、所定回数よりも少なければ「瞳孔ブレ小」と判定する。
【００３７】
天候情報受信装置２５は、車両４１の走行地域の現在の天候情報を、車両４１の外部のサーバ等から受信する。天候情報受信装置２５が受信した天候情報は、要因情報取得部１３に送られる。
【００３８】
ナビゲーション装置２６は、車両４１の経路案内を行う装置である。例えば、ナビゲーション装置２６は車両４１の目的地が設定されると、車両４１の現在地から目的地までの走行経路を探索する。このように、ナビゲーション装置２６に車両４１の走行経路が設定されている場合、要因情報取得部１３はナビゲーション装置２６から走行経路の情報を取得する。走行経路の情報には、例えば走行経路が高速道路か通常道路かといった経路の種別、道路の制限速度、または道路の車線数等の情報が含まれる。
【００３９】
要因情報取得部１３は、瞳孔トラッキング装置２７の計測情報から体調情報を、天候情報受信装置２５から車両４１の走行地域の天候情報を、ナビゲーション装置２６から車両４１の走行経路の情報を、それぞれ要因情報として取得する。なお、要因情報取得部１３はこれらの全てを取得する必要はなく、少なくとも１つの情報を要因情報として取得しても良い。また、体調情報、天候情報、および走行経路の情報はあくまでも要因情報の一例である。要因情報は、搭乗者情報以外の、車両４１の走行に影響を与える何らかの要因に関する情報であれば良い。
【００４０】
設定値補正部１４Ａは、要因情報取得部１３から要因情報を取得し、設定値決定部１２Ａから第１設定値を取得する。そして、設定値補正部１４Ａは、補正値格納部１４１の補正値情報を参照して、要因情報に対応する設定値の補正値を抽出し、当該補正値により第１設定値を第２設定値に補正する。
【００４１】
第２設定値は、設定値補正部１４Ａからシート制御装置２１１、ヘッドライト制御装置２１２、またはオーディオ音量制御装置２１３に出力され、これらの装置で第２設定値により車両設備が制御される。シート制御装置２１１は、第２設定値に基づき運転席または助手席の前後方向の位置制御を行う。ヘッドライト制御装置２１２は、第２設定値に基づき車両４１のヘッドライトの光軸の方向を制御する。オーディオ音量制御装置２１３は、第２設定値に基づき車両４１に搭載されたオーディオ機器の再生音量を制御する。
【００４２】
＜Ｂ−２．動作＞
図４は、設定値決定装置１０２の動作を示すフローチャートである。以下、図４のフローに沿って設定値決定装置１０２の動作を説明する。図４のフローは、例えば車両４１がドアを閉めた後に初めて走行したときに開始する。
【００４３】
まず、搭乗者情報取得部１１が搭乗者情報を取得する（ステップＳ２１）。具体的には、搭乗者情報取得部１１は、受信装置２３から携帯端末２２の固有情報を取得することにより搭乗者情報を取得し、あるいはカメラ２４の撮影画像を解析して搭乗者情報を取得する。
【００４４】
次に、設定値決定部１２Ａが搭乗者情報取得部１１から搭乗者情報を取得する。そして、設定値決定部１２Ａは設定値格納部１２１の設定値情報を参照し、搭乗者情報から得られる座席を区別した搭乗者の組み合わせに対応する設定値を抽出し、これを第１設定値と決定する（ステップＳ２２）。
【００４５】
図５ないし図７は、座席を区別した搭乗者の組み合わせ（以下、単に「搭乗者の組み合わせ」と称する）を例示している。図５ないし図７に示す表の各セルは、車両４１を上からみたときの各座席の配置に対応している。例えば、右上のセルは運転席の搭乗者、左上のセルは助手席の搭乗者、右下のセルは運転席の真後ろの席の搭乗者、左下のセルは助手席の搭乗者を表している。なお、上記の説明は、右ハンドルの車両４１を前提としている。
【００４６】
図５は搭乗者の組み合わせ１を示しており、組み合わせ１では、運転席が「携帯端末Ａ」、助手席が「携帯端末Ｂ」、運転席の真後ろの席が「携帯端末Ｄ」、助手席の真後ろの席が「携帯端末Ｃ」となる。なお、図５ないし図７の組み合わせ例では、搭乗者ではなく携帯端末が特定されているが、搭乗者と携帯端末が１対１に対応しているという前提の下で、携帯端末の特定は搭乗者の特定と同義である。
【００４７】
図６は搭乗者の組み合わせ２を示している。組み合わせ２において、運転席と助手席の搭乗者は組み合わせ１と同様であるが、後部座席の搭乗者がいない。
【００４８】
図７は搭乗者の組み合わせ３を示している。組み合わせ３では、運転席が「携帯端末Ｂ」、助手席が「携帯端末Ａ」、運転席の真後ろの席が「携帯端末Ｆ」、助手席の真後ろの席が「携帯端末Ｅ」となる。
【００４９】
図８および図９は、設定値格納部１２１に格納された設定値情報の一例を示している。車両設備の設定値として、図８の設定値情報は運転席ポジション設定値および助手席ポジション設定値を示し、図９はオーディオ音量設定値およびヘッドライト高さ設定値を示している。運転席ポジション設定値は、シート制御装置２１１が運転席の前後方向の位置を調整するための設定値であり、助手席ポジション設定値は、シート制御装置２１１が助手席の前後方向の位置を調整するための設定値である。オーディオ音量設定値は、オーディオ音量制御装置２１３がオーディオ機器の再生音量を調整するための設定値であり、ヘッドライト高さ設定値は、ヘッドライト制御装置２１２が車両４１のヘッドライトの光軸の高さを調整するための設定値である。
【００５０】
図８の設定値情報では、組み合わせ１に対して、運転席ポジション設定値が「＋３」、助手席ポジション設定値が「＋２」である。また、組み合わせ２に対して、運転席ポジション設定値が「＋７」、助手席ポジション設定値が「＋６」である。運転席ポジション設定値が正方向に大きい値であるほど、シート制御装置２１１は運転席の位置を後方に調整し、運転席ポジション設定値が負方向に大きい値であるほど、シート制御装置２１１は運転席の位置を前方に調整する。同様に、助手席ポジション設定値が正方向に大きい値であるほど、シート制御装置２１１は助手席の位置を後方に調整し、助手席ポジション設定値が負方向に大きい値であるほど、シート制御装置２１１は助手席の位置を前方に調整する。
【００５１】
つまり、図８の設定値情報では、組み合わせ１より組み合わせ２において、運転席と助手席のいずれもがより後方に位置するよう、設定値が定められている。これは、組み合わせ１では後部座席に搭乗者がいるのに対し、組み合わせ２では後部座席に搭乗者がいないためである。
【００５２】
図８の設定値情報では、組み合わせ３に対して、運転席ポジション設定値が「＋２」、助手席ポジション設定値が「＋１」である。組み合わせ３に対する助手席ポジション設定値は、組み合わせ１に対する運転席ポジション設定値よりも小さい。これは、組み合わせ３において助手席の真後ろの席に着座する「携帯端末Ｅ」を携帯する搭乗者が、組み合わせ１において運転席の真後ろに着座する「携帯端末Ｄ」を携帯する搭乗者よりも大柄な人物であることを反映している。
【００５３】
図９の設定値情報では、組み合わせ１に対して、オーディオ音量設定値が「＋５０」、ヘッドライト高さ設定値が「０」である。また、組み合わせ２に対して、オーディオ音量設定値が「＋６０」、ヘッドライト高さ設定値が「＋１０」である。また、組み合わせ３に対して、オーディオ音量設定値が「＋７０」、ヘッドライト高さ設定値が「−１０」である。オーディオ音量設定値が正方向に大きい値であるほど、オーディオ音量制御装置２１３はオーディオ機器の再生音量を大きく調整し、オーディオ音量設定値が負方向に大きい値であるほど、オーディオ音量制御装置２１３はオーディオ機器の再生音量が小さくなるように調整する。また、ヘッドライト高さ設定値が正方向に大きい値であるほど、ヘッドライト制御装置２１２はヘッドライトの光軸の位置を高く調整し、ヘッドライト高さ設定値が負方向に大きい値であるほど、ヘッドライト制御装置２１２はヘッドライトの光軸の位置を低く調整する。
【００５４】
図９の設定値情報において、組み合わせ１，２，３のうち、組み合わせ１に対するオーディオ音量設定値が最も小さく、組み合わせ３に対するオーディオ音量設定値が最も大きい。このように、オーディオ音量設定値は搭乗者の組み合わせによって決定される。例えば、家族で車両４１に搭乗する場合の組み合わせに対してはオーディオ音量設定値を小さく、友人同士で車両４１に搭乗する場合の組み合わせに対してはオーディオ音量設定値を大きくすることができる。
【００５５】
図９の設定値情報において、組み合わせ２に対するヘッドライト高さ設定値は組み合わせ１に対するヘッドライト高さ設定値よりも大きく設定されている。これは、後部座席に搭乗者が着座しない組み合わせ２では、車両４１の前方が若干沈むことから、それによるヘッドライトの光軸のずれを補正するためである。また、組み合わせ３に対するヘッドライト高さ設定値は、組み合わせ１に対するヘッドライト高さ設定値よりも小さく設定される。これは、組み合わせ３において後部座席に着座する搭乗者が、組み合わせ１において後部座席に着座する搭乗者よりも体重が重く、より車両４１の後方が沈むことから、それによるヘッドライトの光軸のずれを補正するためである。
【００５６】
図８，９に示した設定値情報は、座席を区別した搭乗者の組み合わせに対する、車両設備を制御するための設定値を定めたものである。これらの設定値情報は、例えば車両４１の運転者などのユーザにより、図３に例示しない入力装置等を用いて設定値決定装置１０２に入力され、設定値格納部１２１に格納される。あるいは、設定値決定部１２Ａは、車両４１の設備が使用される度に、その時の設定値と搭乗者の組み合わせとを記憶し、これらに基づき設定値情報を更新する学習システムであってもよい。いずれにしても、設定値情報はユーザの嗜好に沿って定められるため、設定値決定部１２Ａが決定する第１設定値は、ユーザの嗜好に沿ったものとなる。
【００５７】
図４のフローに戻って、ステップＳ２２の後、設定値決定装置１０２は車両４１のドアが開閉したか否かを判断する（ステップＳ２３）。ここでドアの開閉とはドアが開いた後に閉まることをいう。設定値決定装置１０２はドアの開閉を検知すると、ステップＳ２１に戻り搭乗者情報取得部１１で搭乗者情報を取得する。設定値決定装置１０２はステップＳ２３でドアの開閉を検知しなければ、要因情報取得部１３で要因情報を取得する（ステップＳ２４）。
【００５８】
次に、設定値補正部１４Ａは要因情報取得部１３から要因情報を取得する。そして、補正値格納部１４１の補正値情報を参照し、第１設定値の補正が必要か否かを判断する（ステップＳ２５）。具体的には、設定値補正部１４Ａは、要因情報取得部１３から取得した要因情報が補正値情報において補正値と紐付けられている場合に、補正が必要と判断し、そうでなければ補正を不要と判断する。
【００５９】
図１０は、補正値格納部１４１に格納された補正値情報を例示している。図１０の補正値情報では、「雷雨」の天候情報に対して、運転席ポジション設定値の補正値は「−２」、オーディオ音量設定値の補正値は「−１０」、ヘッドライト高さ設定値の補正値は「＋５」である。ここで、運転席ポジション設定値の補正値は、運転席のシートを前に移動して運転者の視界を広くすることを狙って定められている。また、オーディオ音量設定値の補正値は、オーディオ機器の再生音量を小さくすることで運転者の運転に対する集中度を高めることを狙って定められている。また、ヘッドライト高さ設定値の補正値は、ヘッドライトの光軸を高くして広範囲にヘッドライトの光を照射し、運転者の視界を広げることを狙って定められている。
【００６０】
図１０の補正情報では、「高速道路侵入」の経路情報に対して、オーディオ音量設定値の補正値は「−１０」、運転席ポジション設定値とヘッドライト高さ設定値の補正は共に「０」である。ここで、オーディオ音量設定値の補正値は、オーディオ機器の再生音量を小さくして運転者の運転に対する集中度を高めることを狙って定められている。
【００６１】
図１０の補正情報では、「瞳孔ブレ大」の体調情報に対して、運転席ポジション設定値の補正値は「−３」、オーディオ音量設定値の補正値は「＋１０」、ヘッドライト高さ設定値の補正値は「０」である。ここで、運転席ポジション設定値の補正値は、運転席を前に移動して運転者の視界を広くすることを狙って定められている。また、オーディオ音量設定値の補正値は、オーディオ機器の再生音量を大きくして運転者の覚醒度を高めることを狙って定められている。
【００６２】
ステップＳ２５で補正が必要でなければ、設定値決定装置１０２の処理はステップＳ２３に戻る。このとき、設定値決定装置１０２が決定した第１設定値、すなわち未補正の設定値がシート制御装置２１１等に出力される。一方、ステップＳ２５で補正が必要であれば、設定値補正部１４Ａが要因情報に対応する補正値によって第１設定値を第２設定値に補正する（ステップＳ２６）。例えば、図５から図１０に示した例において、搭乗者の組み合わせが組み合わせ１であり、経路情報が「高速道路侵入」である場合には、設定値補正部１４Ａはオーディオ音量設定値「＋５０」に補正値「−１０」を加算してオーディオ音量設定値「＋４０」とする。こうして補正された設定値、すなわち第２設定値がオーディオ音量制御装置２１３等に出力される。その後、フローはステップＳ２３に戻る。
【００６３】
なお、図１０には設定値を補正すべき要因を複数挙げているが、これらの要因が同時に発生した場合、設定値補正部１４Ａは各要因による補正値の平均をとって補正値を決定しても良い。
【００６４】
＜Ｃ．実施の形態３＞
＜Ｃ−１．構成＞
図１１は、実施の形態３に係る設定値決定装置１０３の構成を示すブロック図である。設定値決定装置１０３は、実施の形態２の設定値決定装置１０２の構成と比較して、属性情報取得部１５をさらに備え、設定値決定部１２Ａに代えて設定値決定部１２Ｂを備えている。設定値決定部１２Ｂは、設定値決定部１２Ａの構成に加えて属性情報格納部１２２を備えている。また、設定値決定装置１０３は、実施の形態２で説明した構成に加えて、体重測定装置２８と接続され、これを利用可能に構成されている。
【００６５】
属性情報取得部１５は、不定搭乗者の属性情報を取得する。不定搭乗者とは、搭乗者情報取得部１１が識別情報を取得できない搭乗者と、設定値格納部１２１に格納された設定値情報に組み合わせが記載されていない搭乗者のことである。属性情報とは、搭乗者の特徴である属性を示す情報である。例えば、搭乗者の身長または体重が属性に該当する。
【００６６】
体重測定装置２８は、車両４１の各座席に設置され、各座席に着座する搭乗者の体重を測定する。体重測定装置２８で測定した搭乗者の体重情報は属性情報として属性情報取得部１５に送られる。
【００６７】
また、属性情報取得部１５は、カメラ２４の撮影画像を取得する。属性情報取得部１５は、カメラ２４の撮影画像を解析して、搭乗者の身長を測定する。すなわち、属性情報取得部１５は、カメラ２４の撮影画像を解析することにより、搭乗者の身長情報を属性情報として取得する。
【００６８】
属性情報格納部１２２は、メモリ等の記憶媒体によって構成されている。属性情報格納部１２２には、登録搭乗者の属性情報が格納されている。登録搭乗者とは、設定値格納部１２１に格納された設定値情報に組み合わせが記載されている搭乗者である。
【００６９】
実施の形態２では、車両４１の搭乗者の全員が搭乗者情報により特定され、かつ特定された搭乗者の組み合わせに対する設定値が設定値格納部１２１に格納されているという前提の下で説明を行った。そのため、設定値決定部１２Ａは特定された搭乗者の組み合わせに対して一意に第１設定値を設定することが可能であった。本実施の形態の設定値決定部１２Ｂも、このような状況の下では実施の形態２の設定値決定部１２Ａと同様の方法で第１設定値を決定する。
【００７０】
しかし、車両４１の搭乗者の中に不定搭乗者がいる場合、すなわち搭乗者情報取得部１１が少なくとも一部の搭乗者の識別情報を取得できない場合、または搭乗者の組み合わせに対する設定値が設定値格納部１２１に格納されていない場合、設定値決定部１２Ｂは不定搭乗者を登録搭乗者に置換し、第１設定値を決定する。
【００７１】
＜Ｃ−２．動作＞
以下、図１２のフローチャートに沿って、実施の形態３の搭乗者情報取得部１１と設定値決定部１２Ｂの動作を説明する。
【００７２】
まず、搭乗者情報取得部１１は、カメラ２４の撮影画像を取得し、撮影画像を解析して座席情報を取得する（ステップＳ３１）。
【００７３】
次に、搭乗者情報取得部１１は、受信装置２３から携帯端末２２の固有情報を取得する（ステップＳ３２）。ここで、固有情報そのものが搭乗者の識別情報となり、固有情報を受信した受信装置２３が設置された座席の情報が座席情報となる。
【００７４】
次に、設定値決定部１２Ｂは、不定搭乗者がいるか否かを判断する（ステップＳ３３）。ここで、設定値決定部１２Ｂは、例えばカメラ２４の撮影画像の解析に基づき助手席に搭乗者が着座していると判断される場合に、助手席に設置された受信装置２３が携帯端末２２の固有情報を受信できていない場合には、助手席に着座した搭乗者を不定搭乗者と判断する。このように、カメラ２４の撮影画像から取得した座席情報と、受信装置２３の受信状況とに齟齬がある場合に、受信装置２３で識別情報を受信できていない搭乗者を不定搭乗者と判断する。
【００７５】
また、カメラ２４の撮影画像の解析に基づき着座していると判断される全ての座席について、各座席に設置された受信装置２３が携帯端末２２の固有情報を受信した場合であっても、携帯端末２２の固有情報により特定される搭乗者の組み合わせに対する設定値が設定値情報に記載されていない場合、設定値決定部１２Ｂは、その組み合わせに係る全ての搭乗者を不定搭乗者と判断する。
【００７６】
ステップＳ３３で不定搭乗者がいない場合、搭乗者の組み合わせに対応する設定値を第１設定値と決定する（ステップＳ３７）。ここで設定値決定部１２Ｂは、実施の形態２の設定値決定部１２Ａと同様に、座席を区別した搭乗者の組み合わせに対して設定値情報で紐付けられている設定値を第１設定値とする。
【００７７】
一方、ステップＳ３３で不定搭乗者が存在する場合、設定値決定装置１０３の処理はステップＳ３４へ移行する。以下、図１３に示す搭乗者の組み合わせ４を例に説明を行う。組み合わせ４では、運転席に携帯端末Ａ、助手席に携帯端末Ｂ、助手席の真後ろの席に携帯端末Ｃで特定される搭乗者が着座し、運転席の真後ろの席に不定搭乗者が着座する。
【００７８】
属性情報取得部１５は不定搭乗者の属性情報を取得する（ステップＳ３４）。具体的には、属性情報取得部１５は、カメラ２４の撮影画像から不定搭乗者の身長情報を属性情報として取得し、体重測定装置２８の測定情報から不定搭乗者の体重情報を属性情報として取得する。
【００７９】
次に、設定値決定部１２Ｂは、属性情報取得部１５から不定搭乗者の属性情報を取得する。そして、設定値決定部１２Ｂは、不定搭乗者と属性情報が類似する登録搭乗者がいるか否かを判断する（ステップＳ３５）。具体的には、設定値決定部１２Ｂは、属性情報格納部１２２に格納された属性情報を参照し、不定搭乗者の属性情報と類似する属性情報を有する登録搭乗者を検索する。属性情報が体重情報および身長情報である場合、例えば不定搭乗者に対して体重が±５ｋｇかつ身長が±５ｃｍの範囲に収まる登録搭乗者を、不定搭乗者と属性情報が類似する登録搭乗者とする。なお、類似する登録搭乗者が複数存在する場合には、最も属性情報が近い登録搭乗者を選択する。
【００８０】
不定搭乗者と属性情報が類似する登録搭乗者がいない場合、設定値決定部１２Ｂはデフォルト値を第１設定値とする（ステップＳ３８）。図１４および図１５は、設定値決定部１２Ｂの設定値格納部１２１に格納されている設定値情報を示している。この設定値情報は図８，９と似ているが、デフォルトの設定値が記載されている点が異なる。図１４および図１５の例では、設定値決定部１２Ｂは、図１３の組み合わせ４に対して、運転席ポジション設定値を「＋５」、助手席ポジション設定値を「＋２」、オーディオ音量設定値を「＋６０」、ヘッドライト高さ設定値を「＋５」と設定する。これで、設定値決定部１２Ｂの処理は終了する。なお、図１４および図１５の例ではデフォルトの設定値が１種類しかないが、複数種類あっても良い。例えば、設定値決定部１２Ｂは、不定搭乗者が身長１６５ｃｍ−１７５ｃｍかつ体重５０ｋｇ−５５ｋｇの場合と、身長１６５ｃｍ−１７５ｃｍかつ体重５５ｋｇ−６０ｋｇの場合とで、異なるデフォルト値を第１設定値としても良い。
【００８１】
一方、不定搭乗者と属性情報が類似する登録搭乗者がいる場合、設定値決定部１２Ｂは、不定搭乗者を属性情報が類似する登録搭乗者に置換する（ステップＳ３６）。例えば、「携帯端末Ｄ」の保有者の属性情報が不定搭乗者の属性情報と類似する場合、図１３に示した組み合わせ４において、不定搭乗者を「携帯端末Ｄ」の保有者に置換する。
【００８２】
次に、設定値決定部１２Ｂは、設定値情報を参照し、搭乗者の組み合わせに対応する設定値を第１設定値として決定する（ステップＳ３７）。設定値決定部１２Ｂは、ステップＳ３６で不定搭乗者を登録搭乗者に置換しているため、置換後の搭乗者の組み合わせに対応する設定値を決定する。図１３に示した組み合わせ４において、不定搭乗者を「携帯端末Ｄ」の保有者に置換すると組み合わせ１になる。従って、設定値決定部１２Ｂは、設定値情報において組み合わせ１に対応する設定値を第１設定値として決定する。図１４および図１５に示すとおり、運転席ポジション設定値は「＋３」、助手席ポジション設定値は「＋２」、オーディオ音量設定値は「＋５０」、ヘッドライト高さ設定値は「０」となる。これで、設定値決定部１２Ｂの処理は終了する。
【００８３】
以上で説明したように、実施の形態３に係る設定値決定装置１０３は、実施の形態１の構成に加えて、不定搭乗者の属性情報を取得する属性情報取得部１５を備える。不定搭乗者とは、搭乗者情報取得部１１が識別情報を取得できない搭乗者、または設定値情報に組み合わせが記載されていない搭乗者である。設定値決定部１２Ｂは、設定値情報に組み合わせが記載された登録搭乗者の属性情報を参照して、不定搭乗者を属性情報が類似する登録搭乗者に置換し、置換後の搭乗者の組み合わせに基づき第１設定値を決定する。以上の構成により、設定値決定装置１０３によれば、不定搭乗者を含む搭乗者の組み合わせに対しても、適切に第１設定値を設定することができる。
【００８４】
＜Ｄ．ハードウェア構成＞
上述した設定値決定装置１０１，１０２，１０３における、搭乗者情報取得部１１、設定値決定部１２，１２Ａ，１２Ｂ、設定値格納部１２１、属性情報格納部１２２、要因情報取得部１３、設定値補正部１４、１４Ａ、補正値格納部１４１、および属性情報取得部１５は、図１６に示す処理回路８１により実現される。すなわち、処理回路８１は、搭乗者情報取得部１１、設定値決定部１２，１２Ａ，１２Ｂ、設定値格納部１２１、要因情報取得部１３、設定値補正部１４、１４Ａ、補正値格納部１４１、および属性情報取得部１５（以下、「設定値補正部１４等」と称する）を備える。処理回路８１には、専用のハードウェアが適用されても良いし、メモリに格納されるプログラムを実行するプロセッサが適用されても良い。プロセッサは、例えば中央処理装置、処理装置、演算装置、マイクロプロセッサ、マイクロコンピュータ、ＤＳＰ（Digital Signal Processor）等である。
【００８５】
処理回路８１が専用のハードウェアである場合、処理回路８１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものが該当する。設定値補正部１４等の各部の機能それぞれは、複数の処理回路８１で実現されてもよいし、各部の機能をまとめて一つの処理回路で実現されてもよい。
【００８６】
処理回路８１がプロセッサである場合、設定値補正部１４等の機能は、ソフトウェア等（ソフトウェア、ファームウェアまたはソフトウェアとファームウェア）との組み合わせにより実現される。ソフトウェア等はプログラムとして記述され、メモリに格納される。図１７に示すように、処理回路８１に適用されるプロセッサ８２は、メモリ８３に記憶されたプログラムを読み出して実行することにより、各部の機能を実現する。すなわち、設定値決定装置１０１，１０２，１０３は、処理回路８１により実行されるときに、車両４１の搭乗者を特定する識別情報と搭乗者が着座する座席を特定する座席情報とを含む搭乗者情報を取得し、搭乗者情報から得られる座席を区別した搭乗者の組み合わせに基づき設定値を第１設定値として決定し、搭乗者情報以外の車両４１の走行に影響を与える要因に関する情報である要因情報を取得し、要因情報に基づき第１設定値を第２設定値に補正する、設定値決定方法が結果的に実行されることになるプログラムを格納するためのメモリ８３を備える。換言すれば、このプログラムは、設定値補正部１４等の手順や方法をコンピュータに実行させるものであるともいえる。ここで、メモリ８３には、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disk）及びそのドライブ装置等、または、今後使用されるあらゆる記憶媒体であってもよい。
【００８７】
以上、設定値補正部１４等の各機能が、ハードウェア及びソフトウェア等のいずれか一方で実現される構成について説明した。しかしこれに限ったものではなく、設定値補正部１４等の一部を専用のハードウェアで実現し、別の一部をソフトウェア等で実現する構成であってもよい。例えば、設定値補正部１４については専用のハードウェアとしての処理回路でその機能を実現し、それ以外についてはプロセッサ８２としての処理回路８１がメモリ８３に格納されたプログラムを読み出して実行することによってその機能を実現することが可能である。
【００８８】
以上のように、処理回路８１は、ハードウェア、ソフトウェア等、またはこれらの組み合わせによって、上述の各機能を実現することができる。なお、設定値格納部１２１、属性情報格納部１２２、および補正値格納部１４１は、メモリ８３から構成されるが、それらは単一のメモリ８３から構成されてもよいし、それぞれが個別のメモリから構成されてもよい。
【００８９】
また、上記では設定値決定装置１０１，１０２，１０３を車載装置として説明したが、車載装置、ＰＮＤ（Portable Navigation Device）、通信端末（例えば携帯電話、スマートフォン、およびタブレットなどの携帯端末）、およびこれらにインストールされるアプリケーションの機能、並びにサーバなどを適宜に組み合わせてシステムとして構築されるシステムにも適用することができる。この場合、以上で説明した設定値決定装置１０１，１０２，１０３の各機能または各構成要素は、システムを構築する各機器に分散して配置されてもよいし、いずれかの機器に集中して配置されてもよい。その一例として、図１８は、設定値決定装置１０２の構成が車両４１とサーバ４２に分散して配置された例を示している。この例によれば、搭乗者情報取得部１１、要因情報取得部１３、設定値補正部１４Ａが車両４１に配置され、設定値決定部１２Ａがサーバ４２に配置される。すなわち、設定値決定部１２Ａは、設定値情報を格納する設定値格納部１２１を備え、サーバ４２に設けられる。このように、設定値決定部１２Ａをサーバ４２に配置することにより、車載装置によって設定値格納部１２１を構成する必要がないため、車載装置の構成を簡素化することができる。設定値情報は、搭乗者の組み合わせと設定値の関係を示す情報であるため、特に車両４１がレンタカー又はカーシェアリングなど不特定多数の人物が利用する車両である場合には、搭乗者の組み合わせが多くなり、それに比例して設定値情報の情報量は膨大になるため、設定値決定部１２Ａをサーバ４２で構成することの実益は大きい。
【００９０】
なお、本発明は、その発明の範囲内において、各実施の形態および各変形例を自由に組み合わせたり、各実施の形態および各変形例を適宜、変形または省略したりすることが可能である。
【００９１】
本発明は詳細に説明されたが、上記した説明は全ての態様において例示であり、本発明がそれに限定されるものではない。例示されていない無数の変形例が、本発明の範囲から外れることなく想定され得る。
【符号の説明】
【００９２】
１１  搭乗者情報取得部、１２，１２Ａ，１２Ｂ  設定値決定部、１３  要因情報取得部、１４，１４Ａ  設定値補正部、１５  属性情報取得部、２１  車両設備制御装置、２２  携帯端末、２３  受信装置、２４  カメラ、２５  天候情報受信装置、２６  ナビゲーション装置、２７  瞳孔トラッキング装置、２８  体重測定装置、４１  車両、４２  サーバ、８１  処理回路、８２  プロセッサ、８３  メモリ、１０１，１０２，１０３  設定値決定装置、１２１  設定値格納部、１２２  属性情報格納部、１４１  補正値格納部、２１１  シート制御装置、２１２  ヘッドライト制御装置、２１３  オーディオ音量制御装置。
【図１】
2018185933.tif 000003
【図２】
2018185933.tif 000004
【図３】
2018185933.tif 000005
【図４】
2018185933.tif 000006
【図５】
2018185933.tif 000007
【図６】
2018185933.tif 000008
【図７】
2018185933.tif 000009
【図８】
2018185933.tif 000010
【図９】
2018185933.tif 000011
【図１０】
2018185933.tif 000012
【図１１】
2018185933.tif 000013
【図１２】
2018185933.tif 000014
【図１３】
2018185933.tif 000015
【図１４】
2018185933.tif 000016
【図１５】
2018185933.tif 000017
【図１６】
2018185933.tif 000018
【図１７】
2018185933.tif 000019
【図１８】
2018185933.tif 000020
【国際調査報告】
2018185933.tif 000021
2018185933.tif 000022
2018185933.tif 000023
2018185933.tif 000024